(57)【要約】【課題】現場にて埋設された隣接のＵ字型排水溝体内に金属製グレーチング枠体から枠体を簡単に取外すことが出来、グレーチング枠体の盗難、不用意に取外れない様にし、歩行者への思わぬ事故に繋がる。【解決手段】タイル、レンガ等の道路表面材を支承する天板であって、該天板には雨水流入路を形成すると共に小巾の左右縦片を有する一定長さで、而も長手方向の両端面に側板を直立して構成された中間フレームと、この中間フレームの左右縦片の上端に備えられると共に、而も切欠孔を有する内向水平片及び垂直片より成る左右の受枠と、更に雨水流入路を形成する複数本の中間グレーチング長尺材を有し、且つ下縁にはＬ型鉤片を垂下した取外し用グレーチング格子枠とであって、該取外し用グレーチング格子枠を前記受枠の垂直片に載置すると共に、前記Ｌ型鉤片を上方から前記中間フレームの内向水平片の切欠孔に挿入スライドさせて該Ｌ型鉤片を切欠孔に係合すること。【選択図】図２
2017166204.tif 000002
【特許請求の範囲】
【請求項１】
路面下に埋設されるＵ字型排水溝体と、
該Ｕ字型排水溝体の上端開口部に着座して閉塞すると共に、タイル、レンガ等の道路表面材を支承する天板であって、該天板には雨水流入路を形成すると共に、小巾の左右縦片を有する一定長さで、而も長手方向の両端面に側板を直立して構成された中間フレームと、
この中間フレームの左右縦片の上端に備えられると共に、而も切欠孔を有する内向水平片及び垂直片より成る左右の受枠と、
更に雨水流入路を形成する複数本の中間グレーチング長尺材を有し、且つ下縁にはＬ型鉤片を垂下した取外し用グレーチング格子枠とで成し、
該取外し用グレーチング格子枠を前記受枠の垂直片に載置すると共に、前記Ｌ型鉤片を上方から前記中間フレームの内向水平片の切欠孔に挿入スライドさせて該Ｌ型鉤片を切欠孔に係合させることを特徴とする路上排水溝装置。
【請求項２】
前記中間フレームは、金属製としたことを特徴とする請求項１記載の路上排水溝装置。
【請求項３】
前記取外し用グレーチング格子枠は、鋳鋼製とし、且つＬ型鉤片を金属平板製とし、該Ｌ型鉤片を鋳鋼製の取外し用グレーチング格子枠の両側面にスポット溶接して装着したことを特徴とする請求項１〜２記載のいずれか１記載の路上排水溝装置。
【発明の詳細な説明】
【技術分野】
【０００１】
本発明は、路上の側溝、更には建物の入口に敷設される雨水等の路上排水溝装置に関する。
【背景技術】
【０００２】
この種路上排水溝装置に用いられるＵ字型排水溝体は、輸送、更には現場施工への対応性から長さ約１ｍ程度に加工されており、埋設現場に対応して所望本数を連結すると共に、Ｕ字型排水溝体の上部開口には金属製グレーチング枠体を装着して、該上部開口を被覆すると共に、雨水、清掃時の放水をＵ字型排水溝体から所定の公共下水管にと導いている。
而して、この金属製グレーチング枠体からＵ字型排水溝体内に硬貨、キーホルダー等の小物の落とし込み、更には清掃時等において一時的にグレーチング枠体を取外せることが不可欠となる。
反面、グレーチング枠体の盗難、更には不用意に取外されることによって歩行者への思わぬ事故に繋がること等への配慮も欠かせない。
斯様な背景から下記先行技術文献が存在する。
【先行技術文献】
【特許文献】
【０００３】
【特許文献１】特開２００９−９７３１１号公報
【特許文献２】特開２０１３−１８１３８６号公報  而して、特に特許文献１は、グレーチング枠体の少なくとも四隅をボルトにて固定しており、埋設所望本数の総てのグレーチングについて四隅をボルトにて固定しているもと推測され、場合によっては敷地の四周が数１００ｍからに至ることも否定できず、ドライー操作が煩わしく斯様な技術は実状には即しない。  また、本願発明者が成した特許文献２も存在する。  これは、オフイス街における女性の歩行に配慮してＵ字型排水溝体の容量は維持しつつ、上部開口を被覆すグレーチング枠体の巾を狭くしたものである。  そのため、連結される総てのグレーチング枠体の四隅をボルトにて固定すると    なると、グレーチング枠体の巾を相当広くする必要がある。
【発明の概要】
【発明が解決しようとする課題】
【０００４】
本発明は、現場にて埋設された隣接のＵ字型排水溝体内に金属製グレーチング枠体から硬貨、キーホルダー等の小物の落とし込み時、また清掃等において一時的にグレーチング枠体を簡単に取外すことが出来、且つグレーチング枠体の盗難、更には不用意に取外れない様にし、それに伴って生じる歩行者への思わぬ事故に繋がること等への課題を解決する。
【課題を解決するための手段】
【０００５】
本発明は、路面下に埋設されるＵ字型排水溝体と、該Ｕ字型排水溝体の上端開口部に着座して閉塞し、且つタイル、レンガ等の道路表面材を支承する天板であって、該天板には雨水流入路を形成すると共に、小巾の左右縦片を有する一定長さで、而も長手方向の両端面に側板を直立して構成された中間フレームと、この中間フレームの左右縦片の上端に備えられると共に、而も切欠孔を有する内向水平片及び垂直片より成る左右の受枠と、更に雨水流入路を形成する複数本の中間グレーチング長尺材を有し、且つ下縁にはＬ型鉤片を垂下した取外し用グレーチング格子枠とで成し、該取外し用グレーチング格子枠を前記受枠の垂直片に載置すると共に、前記Ｌ型鉤片を上方から前記中間フレームの内向水平片の切欠孔に挿入スライドさせて該Ｌ型鉤片を切欠孔に係合させることを特徴とするものである。  
【０００６】
更に本発明は、中間フレームを金属製としたことを特徴とするものである。
【０００７】
更に本発明は、取外し用グレーチング格子枠を鋳鋼製とし、且つＬ型鉤片を金属平板製とし、該Ｌ型鉤片を鋳鋼製の取外し用グレーチング格子枠の両側面にスポット溶接して装着したことを特徴とするものである。
【発明の効果】
【０００８】
（１）請求項１により、Ｕ字型排水溝体１と共に、所望数連結された取外し用グレーチング格子枠は、少なく共最側端のもののみをボルトにて固定すればよく、連結される総ての取外し用グレーチング格子枠をボルト締めするものに比し、グレーチング枠体の脱着が容易となる。
【０００９】
（２）請求項３により、取外し用グレーチング格子枠の両側面にスポ
ット溶接にてＬ型鉤片を簡単に装着できる。
【図面の簡単な説明】
【００１０】
【図１】路上排水溝装置を示す断面図
【図２】同上の分解斜視図
【図３】同上の取外し用グレーチング格子枠の正面図
【図４】同上の取外し用グレーチング格子枠の装着前の状態図
【図５】同上の取外し用グレーチング格子枠の装着後の状態図
【発明を実施するための形態】
【００１１】
以下本発明を実施形態の図面に基づいて説明する。    
図１は路上排水溝装置の断面図であって、先ず埋設現場に対応して所定の路面Ｇを所望巾Ｘの深さＹに掘削し、この掘削部Ｚの最深部Ｚａにぐり石及びモルタル等Ｍを敷きしめ、一定長さ（約１ｍ）のＵ字型排水溝体１を、水勾配を考慮しつつ所望の埋設長さにて複数本連結して載置する。
勿論、このＵ字型排水溝体１の初端は止水板にて雨水止めされ、最終端は図外の雨水マスから公共用下水管にと至ることとなる。
【００１２】
Ｕ字型排水溝体１の上端開口部１ａにはタイル、レンガ等の道路表面材を支承すると共に、雨水流入路Ｒを形成する中間フレーム２が着座する。而してこの中間フレーム２は、具体的には天板３と雨水流入路Ｒを形成する小巾の左右縦片４、４を有する一定長さで、而も長手方向の両端面に側板２ａを装着して構成される。
この中間フレーム２の左右縦片４、４の上端には左右の受枠５、５が溶接により直立して備えられる。
【００１３】
而してこの左右の受枠５、５は、中間フレーム２の左右縦片４、４に溶接される内向水平片６、６及び垂直片７、７より成っており、内向水平片６，６には切欠孔８、８を有する。
左右の受枠５、５の垂直片７、７は、取外し用グレーチング格子枠９の左右側面９ａ、９ａに沿う様、挟持する。  
この取外し用グレーチング格子枠９の左右側面９ａ、９ａ間には必要に応じ複数本の中間グレーチング長尺材１０を装備する。
更に、取外し用グレーチング格子枠９の左右側面には窪部１１、１１を形成し、この窪部１１、１１にはＬ型鉤片１２、１２を固着しており、前記左右の受枠５、５の切欠孔８、８に挿入スライドして係合し、且つ逆方向にスライドさせれば離脱する。
【００１４】
この取外し用グレーチング格子枠９を鋳鋼製とすればＬ型鉤片１２、１２をスポット溶接Ｓすることも可能となるが、勿論、ビス止めとしてもよい。
【００１５】
図４及び図５は取外し用グレーチング格子枠９の装着順序を示し、図４に示す如く、切欠孔８とＬ型鉤片１２との寸法関係は、Ｌ型鉤片１２の底片１２ａの長さａより切欠孔８の口径ｂが大となっておりＬ型鉤片１２の底片１２ａを切欠孔８に上方向から挿入し、その後矢印方向にスライドさせればＬ型鉤片１２の底片１２ａが内向水平片６、６の底面に位置して係合することとなり、且つ清掃等において一時的に取外し用グレーチング格子枠９を取外す場合は、矢印方向と反対方向にスライドさせＬ型鉤片１２を切欠孔８より外した後、取外し用グレーチング格子枠９を引き上げる。
【００１６】
而して、Ｕ字型排水溝体１は、所望本数連結して少なく共、矢印方向と反対側とる最側端（図５において左側）の取外し用グレーチング格子枠９をボルトにて固定すれば、連結された各取外し用グレーチング格子枠９はスライドせず取外し用グレーチング格子枠９は中間フレーム２から外れることは無くそれに伴う不測の事故を防止できる。
尚、中間フレーム２は、金属製が望ましいが合成樹脂製としてもよく、特に限定するものではない。
【符号の説明】
【００１７】
Ｇ    路面
Ｚ    掘削部
Ｒ    雨水流入路
１    Ｕ字型排水溝体
２    中間フレーム２
３    天板
４    左右縦片
５    受枠
６    内向水平片
７    垂直片
８    切欠孔
９    取外し用グレーチング格子枠
１０  中間グレーチング長尺材
１１  窪部
１２  Ｌ型鉤片
【図１】
2017166204.tif 000003
【図２】
2017166204.tif 000004
【図３】
2017166204.tif 000005
【図４】
2017166204.tif 000006
【図５】
2017166204.tif 000007